(57)【要約】【課題】書籍の情報を可能な範囲で詳細にユーザに対して提供することで、ユーザが書籍を注文・購入する前に書籍の内容等を十分に吟味することができるようにし、もってネットワークを介した書籍販売の一層の促進を図り得るシステムを提供する。【解決手段】本発明の書籍販促システムは、複数の状態における書籍の３次元画像を保管する画像ＤＢ１１と、ユーザ端末２０におけるユーザの操作に応じ、閉じられた状態、頁がめくられて内容が見れる状態、及び視点が変更された状態を含む複数の状態のうち一の状態における書籍の３次元画像を、画像ＤＢ１１から取り出した上で当該ユーザ端末２０にネットワークを介して提供する画像提供ユニット１２とを備えていることを特徴とする。【選択図】  図１
2004171410.tif 000002
【特許請求の範囲】
【請求項１】
ネットワーク通信を利用して端末のユーザを対象に書籍の販売を促進するシステムであって、
複数の状態における書籍の３次元画像を保管する画像保管手段と、
端末におけるユーザの操作に応じ、閉状態、内容が認識可能な開状態、及び視点が変更された状態を含む複数の状態のうち一の状態における書籍の３次元画像を、画像保管手段から取り出した上で該端末にネットワークを介して提供する画像提供手段とを備えていることを特徴とする書籍販促システム。
【請求項２】
画像保管手段が、所定端末におけるユーザの操作に応じ、所定記憶装置により記憶されている文書及び画像のうち少なくとも一方を素材として構成された書籍の３次元画像を保管することを特徴とする請求項１記載の書籍販促システム。
【請求項３】
画像提供手段が、端末に表示される開状態における書籍の３次元画像から、ユーザにより認識され得る内容を制限することを特徴とする請求項１又は２記載の書籍販促システム。
【請求項４】
画像提供手段が陳列された状態の書籍の３次元画像を端末に提供し、端末において陳列された書籍の中からユーザにより選択された書籍の一の状態における３次元画像を該端末に提供することを特徴とする請求項１、２又は３記載の書籍販促システム。
【請求項５】
端末におけるユーザの操作に応じた書籍の注文に応じ、該ユーザから販売者への書籍代の支払い、及び該ユーザへの書籍の配達のための情報処理を実行する手続処理手段を備えていることを特徴とする請求項１、２、３又は４記載の書籍販促システム。
【発明の詳細な説明】
【０００１】
【発明の属する技術分野】
本発明は、ネットワーク通信を利用して端末のユーザを対象に書籍の販売を促進するシステムに関する。
【０００２】
【従来の技術】
インターネット等のネットワーク通信を利用し、書籍販売者からユーザに対して書籍の情報が提供され、当該情報に基づいてユーザが販売者に書籍を注文し、この注文に応じて当該ユーザに対して書籍が販売されるシステムが知られている（例えば特許文献１参照。）。
【０００３】
このシステムによれば、ネットワーク通信を利用するため、ユーザは好きなときに好きな場所で書籍を注文・購入することができるので非常に便利である。また、書籍販売者は休暇中や寝ている間でも書籍の注文を受けることができるので、書籍の販売促進の上で好ましい。
【０００４】
【特許文献１】
特開２００１−３５７２１９号公報
【０００５】
【発明が解決しようとする課題】
しかし、ネットワークを介してユーザに提供される書籍の情報が書籍内容の概要等に限られ、当該書籍の情報量が不十分な場合がある。このため、現実にユーザの手元に届いた書籍が、ユーザが注文時に予想していたものと異なり、期待はずれに終わる場合もある。従って、事前に別ルートで情報を得ていないユーザは、ネットワークを介した書籍の注文・購入を躊躇する可能性が高い。
【０００６】
そこで、本発明は、書籍の情報を可能な範囲で詳細にユーザに対して提供することで、ユーザが書籍を注文・購入する前に書籍の内容等を十分に吟味することができるようにし、もってネットワークを介した書籍販売の一層の促進を図り得るシステムを提供することを解決課題とする。
【０００７】
【課題を解決するための手段】
本願発明者の得た知見によれば、書籍に関する情報量が不十分であるにも関わらずネットワーク通信を用いた書籍の注文販売が普及しているのは、ユーザが書籍の情報を別ルートで取得し、ある程度どのような書籍かを事前に把握できることに依存するところが大きい。
【０００８】
例えばユーザが、実際に書店に赴いて書籍を立ち読みしたが購入せずに家に戻った後、どうしてもその書籍を入手したくなってネットワークを介してその書籍を注文する場合が少なくない。また、ユーザが新聞等の書評を目にした上で、ある書評子が進めていることを理由にその書籍をネットワークを介して注文する場合もある。
【０００９】
従って、ユーザに対して書籍の情報を十分に提供することで、ネットワークを介した書籍販売を促進することができると考えられる。
【００１０】
かかる知見に鑑み、前記課題を解決するための本発明の書籍販促システムは、複数の状態における書籍の３次元画像を保管する画像保管手段と、端末におけるユーザの操作に応じ、閉状態、内容が認識可能な開状態、及び視点が変更された状態を含む複数の状態のうち一の状態における書籍の３次元画像を、画像保管手段から取り出した上で該端末にネットワークを介して提供する画像提供手段とを備えていることを特徴とする。
【００１１】
本発明によれば、ユーザはその端末を操作することにより、当該端末を通じて閉状態における書籍の３次元画像を、適宜視点を変えながら見ることができる。また、ユーザはその端末を操作することにより、当該端末を通じて開状態における書籍の３次元画像を、適宜視点を変えながら、且つ、頁をめくりながら見て、書籍の内容を認識することができる。
【００１２】
従って、ユーザは実際に書店に赴いてその書籍を手にし、閉じたままいろいろな方向や距離で眺めた場合と同様に、この書籍の装丁や厚さ等の外観上の特徴を認識することができる。また、ユーザは書店においてその書籍を立ち読みする場合と同様に、この書籍の内容を確認することができる。
【００１３】
このように、ユーザはその端末を通じ、当該端末で展開されるバーチャルな世界（３次元画像）に違和感をあまり覚えることなく、実際に書店で立ち読みをするのと同様の感覚でその書籍の外観や内容等を十分に吟味することができる。そして、ユーザは内容等に納得した上で書籍を注文・購入することができる。このため、ユーザに書籍購入の安全性を強く印象付け、もってユーザの書籍購買意欲を強くかきたて、ネットワークを介した書籍販売の一層の促進を図ることができる。
【００１４】
また、本発明は、画像保管手段が、所定端末におけるユーザの操作に応じ、所定記憶装置により記憶されている文書及び画像のうち少なくとも一方を素材として構成された書籍の３次元画像を保管することを特徴とする。
【００１５】
本発明によれば、所定端末のユーザの意思に応じて構成された書籍のバリエーションの幅を広げることができる。
【００１６】
さらに本発明は、画像提供手段が、端末に表示される開状態における書籍の３次元画像から、ユーザにより認識され得る内容を制限することを特徴とする。
【００１７】
本発明によれば、ユーザにより認識される内容が制限されるので、書籍を注文・購入しないネットワークを介した単なる立ち読みの横行が防止される。
【００１８】
また、本発明は、画像提供手段が陳列された状態の書籍の３次元画像を端末に提供し、端末において陳列された書籍の中からユーザにより選択された書籍の一の状態における３次元画像を該端末に提供することを特徴とする。
【００１９】
本発明によれば、ユーザはその端末を操作することで、ネットワークを介して興味のある書籍を選択することができる。従って、ユーザはその端末において展開されるバーチャルな書店の世界に違和感をあまり覚えることなく、実際に書店に赴き、そこに陳列されている書籍を手にとる場合と同様の感覚で書籍を選択することができる。このため、ユーザに対して書籍（宝）の山に入り込んだような興奮感を与え、もってユーザの書籍購買意欲をかきたてることができるものと期待される。
【００２０】
これにより、ユーザは実際の書店で書籍を購入する場合と同じような感覚を持って違和感なくネットワークを介して書籍を注文することができる。
【００２１】
さらに本発明は、端末におけるユーザの操作に応じた書籍の注文に応じ、該ユーザから販売者への書籍代の支払い、及び該ユーザへの書籍の配達のための情報処理を実行する手続処理手段を備えていることを特徴とする。
【００２２】
本発明によれば、ユーザはその端末を操作することで、ネットワークを介して書籍の内容等を十分に吟味した上で当該書籍を注文することで、しかる後に販売者へ書籍代を支払い、さらに当該書籍を入手することができる。従って、ユーザはその端末において展開されるバーチャルな世界に違和感をあまり感じることなく、実際に書店に赴いて立ち読みをした後、その書籍を購入して家に戻るのと同様の感覚で書籍を購入することができる。
【００２３】
【発明の実施の形態】
本発明の書籍販促システムの実施形態について図面を用いて説明する。図１は本発明の一実施形態における書籍販促システムの構成説明図であり、図２〜図４は本発明の一実施形態における書籍販促システムの機能説明図である。
【００２４】
図１に示す書籍販促システムは、複数の端末２０及び書籍の販売者端末３０とネットワークを介して通信可能に接続されたサーバ１０により構成されている。
【００２５】
書籍販促システムは、画像ＤＢ（画像保管手段）１１と、画像提供ユニット１２と、手続処理ユニット１３とを備えている。
【００２６】
画像ＤＢ１１は複数の状態における書籍の３次元（３Ｄ）画像を保管する。
【００２７】
画像提供ユニット１２は、端末２０におけるユーザの操作に応じ、閉じられた状態、頁がめくられて内容が見れる状態、及び視点が変更された状態を含む複数の状態のうち一の状態における書籍の３次元画像を、画像ＤＢ１１から取り出した上で当該端末２０にネットワークを介して提供する。
【００２８】
手続処理ユニット１３は、端末２０におけるユーザの操作に応じた書籍の注文に応じ、当該ユーザから販売者への書籍代の支払い、及びユーザへの書籍の配達のための情報処理を実行する。
【００２９】
前記構成の書籍販促システムの機能について図２〜図４を用いて説明する。
【００３０】
まず、ユーザがその端末２０において所定のアプリケーションを起動させた上でＩＤ入力等の初期動作を実行させる（図２ｓ２１）。これに応じ、陳列された状態における複数の書籍の３次元画像がサーバ１０から端末２０にダウンロードされる（画像提供ユニット１２から当該画像がＤＢ１１から取り出された上でネットワークを介して端末２０に提供される）（図２矢印▲１▼）。
【００３１】
これにより、端末２０には図３（ａ）に示すように平積み状態で陳列された複数の書籍の３次元画像が表示される。なお、複数の書籍が平積みのほか、本棚（図示略）に並べられたり、斜めに起立されたり等の他の態様により陳列されていてもよい。
【００３２】
次に、ユーザがその端末２０において複数の書籍の中から一の書籍をクリックする等の選択操作により選択する（図２ｓ２２）。これに応じ、ユーザにより選択された一の書籍の３次元画像がサーバ１０から端末２０にダウンロードされる（図２矢印▲２▼）。
【００３３】
これにより、端末２０には図３（ｂ）に示すように、閉じた状態における当該一の書籍の３次元画像が表示される。
【００３４】
続いてユーザがその端末２０において所定の状態変更操作をすると（図２ｓ２３）、当該操作に応じて変動された状態における書籍の３次元画像がサーバ１０から端末２０にダウンロードされる（図２矢印▲３▼）。
【００３５】
これにより、端末２０には例えば図４（ａ）に示すように、閉じられた状態のまま、視点が変えられた状態における書籍の３次元画像が表示される。また、図４（ｂ）に示すように表表紙が少し開かれた状態、図４（ｃ）に示すように頁がぱらぱらめくりされている状態、図４（ｄ）に示すように頁がめくられて当該頁の内容が見れる状態における書籍の３次元映像が端末２０に表示される。なお、書籍にカバーや帯が付いている場合や、書籍が箱に入っている場合には、カバーや帯が取り外されたり、箱から取り出された状態における書籍の３次元画像（図示略）が端末２０に表示されてもよい。
【００３６】
ユーザがその端末２０を通じ、種々の状態における書籍の３次元映像（図４（ａ）〜図４（ｄ）参照）を見ることで、その書籍の購入を決意した場合、ユーザはその端末２０において所定の入力フォームに従って注文操作（図２ｓ２４）及び支払操作（図２ｓ２５）を実行する。
【００３７】
これにより、注文及び支払いに係るデータが端末２０からサーバ１０にアップロードされる（図２矢印▲４▼）。これを受け、手続処理ユニット１３が手続処理を実行する（図２ｓ１１）。具体的には、手続処理ユニット１３が銀行やカード会社等の金融機関により管理されるサーバ（図示略）等とネットワーク通信をする等して、ユーザの注文及び支払いの安全性を確認する。また、手続処理ユニット１３が直接的、又は当該サーバを介して間接的に販売者端末３０にユーザの注文及び支払いの安全性の確認データをネットワークを介して送信する（図２矢印▲５▼）。
【００３８】
これを受け、販売者は、配送業者に委託する等してユーザに対して書籍を配送する（図２矢印▲６▼）。
【００３９】
本発明の書籍販促システムによれば、まず、ユーザはその端末２０においてアプリケーションを起動させる等により（図２ｓ２１）、当該端末２０に陳列された状態における複数の書籍の３次元画像を表示させることができる（図２矢印▲１▼、図３（ａ）参照）。また、ユーザはその端末２０において選択操作をすることで（図２ｓ２２）、ネットワークを介して興味のある書籍を選択することができる（図２▲２▼、図３（ｂ）参照）。
【００４０】
従って、ユーザはその端末２０において展開されるバーチャルな世界に違和感をあまり覚えることなく、実際に書店に赴き、そこに陳列されている書籍を手にとる場合と同様の感覚で書籍を選択することができる。このため、ユーザに対して書籍（宝）の山に入り込んだような興奮感を与え、もってユーザの書籍購買意欲をかきたてることができるものと期待される。
【００４１】
さらにユーザはその端末２０において状態変更操作をすることにより（図２ｓ２３）、当該端末２０を通じ、閉じられた状態における書籍の３次元画像を、適宜視点を変えながら見ることができる（図２矢印▲３▼、図３（ｂ）、図４（ａ）参照）。また、ユーザはその端末２０において状態変更操作をすることにより（図２ｓ２３）、当該端末２０を通じて頁がめくられて内容が見れる状態における書籍の３次元画像を、適宜視点を変えながら、且つ、内容が見れる頁を変えながら見ることができる（図２矢印▲３▼、図４（ｂ）〜図４（ｄ）参照）。
【００４２】
従って、ユーザは実際に書店に赴いてその書籍を手にし、閉じたままいろいろな方向や距離で眺めた場合と同様に、この書籍の装丁や厚さ等の外観上の特徴を認識することができる。また、ユーザは書店においてその書籍を立ち読みする場合と同様に、この書籍の内容を確認することができる。
【００４３】
このように、ユーザはその端末を通じ、当該端末で展開されるバーチャルな世界（３次元画像）に違和感をあまり覚えることなく、実際に書店で立ち読みをするのと同様の感覚でその書籍の外観や内容等を十分に吟味することができる。
【００４４】
さらに、ユーザはその端末２０において注文及び支払操作をすることで（図２ｓ２４、２５参照）、当該書籍を注文することで、しかる後に販売者へ書籍代を支払い、さらに当該書籍を入手することができる（図２矢印▲４▼▲５▼▲６▼参照）。従って、ユーザはその端末２０において展開されるバーチャルな世界に違和感をあまり感じることなく、実際に書店に赴いて立ち読みをした後、その書籍を購入して家に戻るのと同様の感覚で書籍を購入することができる。
【００４５】
以上のように、ユーザは、ネットワークを介して書籍を選び、その書籍を様々な角度から眺めたり立ち読みをすることで吟味し、その上で書籍を購入することができる。従って、実際に書店に赴いた場合と同様の感覚で書籍を注文・購入することができ、ユーザに書籍購入の安全性を強く印象付け、もってユーザの書籍購買意欲を強くかきたて、ネットワークを介した書籍販売の一層の促進を図ることができる。
【００４６】
なお、ユーザの端末２０に書籍カタログが表示され、端末２０におけるバーチャルな世界で当該カタログがめくられ（図４（ｃ）（ｄ）参照）、めくられたカタログに表示されている書籍名等がユーザによりクリック等されることで、この書籍の３次元画像が端末２０に表示されてもよい。
【００４７】
また、ユーザが端末２０に（ワープロ等のアプリケーションを用いて）入力した文書や、ユーザがデジカメにより撮影等した写真等の画像が、端末２０のＨＤＤや外部サーバ（所定の記憶装置）に記憶され、この上で端末２０におけるバーチャルな世界において、ＨＤＤ等に記憶されている文書及び画像を素材として新たな書籍が構成され、当該書籍の３次元画像が画像ＤＢ１１により保管され、端末２０に提供・表示されてもよい。当該実施形態によれば、ユーザは文書や写真のレイアウトを自在に変更しながら仮想的に書籍を構成・作成し得る。従って、仮想的な書籍が売れそうか否かの市場調査がインターネット等のネットワークの世界において実施されれば、当該調査結果を参考にどのような書籍を出版すればよいかが事前に把握され得る。従って、出版社にとっては売れ行きが芳しくなく、レイアウトを変更した上での再出版を余儀なくされる等のリスクをヘッジしながら書籍作りを進めることができる。
【００４８】
また、ユーザが端末２０におけるバーチャルな世界において、書籍の文書、写真や絵図を自由に切り貼りした上で新たな書籍を作成し、当該仮想的な書籍を出版社等に注文できるようにされてもよい。
【００４９】
さらに、書籍に掲載されている図面をクリックすると、当該図面そのもの、又はその図面に関係する付属的な３次元画像が、書籍とは別に端末２０に表示されてもよい。また、端末２０におけるバーチャルな世界において、この付属的な３次元画像がユーザの操作に応じて変動するようにされていてもよい。例えば、端末２０において書籍のアフリカ象の絵がクリックされるとアフリカ象の３次元画像が書籍とは別に表示され、このアフリカ象がクリックされるとアフリカ像が声をあげながら動き出す３次元画像が表示されてもよい。また、端末２０において書籍のパズルの絵がクリックされるとパズルの３次元画像が書籍とは別に表示され、このパズルがクリックされるとパズルが進行する３次元画像が表示されてもよい。さらに端末２０において書籍の折り紙の絵がクリックされると折り紙の３次元画像が書籍とは別に表示され、さらにこの折り紙が逐次折られていく３次元画像が表示されてもよい。
【００５０】
当該実施形態によれば、この書籍のコンテンツに対するユーザの関心をさらに強く惹きつけ、当該書籍の売上向上を図ることができる。
【００５１】
さらに端末２０に表示されているバーチャルな世界で書籍の頁がめくられるとともに（図４（ｃ）（ｄ）参照）、又はこれに代えて書籍の内容が朗読される形で端末２０からその朗読（ナレーション）音声が発生されてもよい。
【００５２】
これは、特に絵本のように幼児、児童等のユーザを対象とする書籍について、当該書籍に対するユーザの関心を強く惹きつけることができる。
【００５３】
また、ユーザの両眼視差に基づく錯視により書籍が３次元的に認識されるように当該書籍の画像が端末２０に表示されてもよい。
【図面の簡単な説明】
【図１】本発明の一実施形態における書籍販促システムの構成説明図
【図２】本発明の一実施形態における書籍販促システムの機能説明図（その１）
【図３】本発明の一実施形態における書籍販促システムの機能説明図（その２）
【図４】本発明の一実施形態における書籍販促システムの機能説明図（その３）
【符号の説明】
１０‥サーバ、１１‥画像ＤＢ（画像保管手段）１２‥画像提供ユニット、１３‥手続処理ユニット、２０‥端末、３０‥販売者端末
【図１】
2004171410.tif 000003
【図２】
2004171410.tif 000004
【図３】
2004171410.tif 000005
【図４】
2004171410.tif 000006